(57)【要約】【課題】ラックに複数のボックスを備えたラックシステムにおいて、ラックに多数のボックスを容易に設置でき、ボックス同士をできるだけ隙間なく設置することができる。【解決手段】収納物を複数の収納区画部２に収納する複数のラックと、各ラック１間に形成される走行通路３０と、走行通路３０を走行して搬送する搬送装置４とを備え、ラック１が収納区画部２に収納物を囲うボックス２０を備え、走行通路３の幅Ｗより短く分割された複数の分割ボックス２０ａ，２０ｂを搬送装置４で搬送して、ラック１における所定の収納区画部２に設置し、各分割ボックス２０ａ，２０ｂを連結することで、ボックス２０を収納区画部２に形成する。【選択図】図３
2010184745.tif 000002
【特許請求の範囲】
【請求項１】
収納物を複数の収納区画部に収納する複数のラックと、前記各ラック間に形成される走行通路と、前記走行通路を走行して搬送する搬送装置とを備え、
前記収納区画部に前記収納物を囲うボックスを備える前記ラックの一区画を施工する方法であって、
前記走行通路の幅より短く分割された複数の分割ボックスを前記搬送装置で搬送して、前記ラックにおける所定の前記収納区画部に設置し、前記各分割ボックスを連結することで、前記ボックスを前記収納区画部に形成することを特徴とするラックの一区画を施工する方法。
【請求項２】
前記分割ボックスは、その内部で接続可能なように前記分割ボックスの内側に連結手段を設けたことを特徴とする請求項１に記載の方法。
【請求項３】
前記分割ボックスは、前記ラックに対してボルト連結され、そのための前記分割ボックスに設けたネジ孔が、調整可能なように長孔状に形成されていることを特徴とする請求項１又は２に記載の方法。
【請求項４】
前記ボックスは、作業者が出入り可能な開閉蓋を備えることを特徴とする請求項１〜３のいずれかに記載の方法。
【発明の詳細な説明】
【技術分野】
【０００１】
本発明は、収納物を複数の収納区画部に収納するラックの一区画を施工する方法であって、特に、収納区画部が収納物を囲うボックスを備えるラックの施工方法に関する。
【背景技術】
【０００２】
従来より、車両に搭載した着脱自在なバッテリーを充電するための設備がある（例えば、特許文献１参照）。この設備は、複数のバッテリー収納部を有する棚（ラック）を備え、各バッテリー収納部に収納されたバッテリーを、コネクタを介して外部電源に接続して充電するものである。ところで、リチウムイオンバッテリーやキャパシタ等の蓄電装置は、出荷前に正常に充放電可能か否かを試験される。この試験の際に、上記の設備を使って蓄電装置を充電すると、不良な蓄電装置が発火した時に、作業者が消火器等で消火しなければならず、作業者に危険を与えることがある。
【０００３】
また、複数の区画収納空間を有する棚（ラック）と、この棚に沿って走行自在なフォークを有する荷搬入出装置とを備え、区画収納空間の中央部に配設した分岐管の下部にスプリンクラーヘッドを設けた自動倉庫設備がある（例えば、特許文献２参照）。上記試験の際に、この自動倉庫設備を使って蓄電装置を充電すれば、不良な蓄電装置が発火しても、スプリンクラーから消火液等を噴射するので、作業者に危険を与えることはない。しかし、この自動倉庫設備によれば、他の正常な蓄電装置にも消火液等が噴射されて悪影響を及ぼすことがある。
【０００４】
そこで、ラックの収納区画部にボックスを設けて、このボックスに蓄電装置を収納するようにし、ボックス内に消火装置と、蓄電装置を電源に接続する通電装置とを備えるラックシステムが考えられる。このラックシステムによれば、収納区画部に収納された蓄電装置が発火しても、消火装置が消火するので、作業者が消火する必要がなく、さらに、蓄電装置はボックスで完全に囲われた状態で消火されるので、他の正常な蓄電装置に消火ガス等が噴射されることがない。
【０００５】
また、蓄電装置をラックに収納して所定期間だけ放置し、放置している間に蓄電装置に発火等の異常が生じないか検査するエージング設備においても、各蓄電装置ごとに好適な一定温度を保持するために、ラックの収納区画部にボックスを設けて各ボックスごとに温度を管理するラックシステムが考えられる。
【０００６】
しかし、このようなラックシステムを施工する際、高所で多数のプレート部材を組み立ててボックスを設置するので、高所での作業が多いため危険性が高く非常に施工が難しい。また、作業者が、作業現場（ラック）でボックスを組み立てると、ボックス同士を隙間なく配置することが難しく、できるだけ多くのボックスを設置するという収納効率を向上させることができない。
【先行技術文献】
【特許文献】
【０００７】
【特許文献１】特開平１１−１４６５０６号公報
【特許文献２】特開昭６０−３１４０７号公報
【発明の概要】
【発明が解決しようとする課題】
【０００８】
そこで、本発明が解決しようとする課題は、ラックに複数のボックスを備えたラックシステムにおいて、ラックに多数のボックスを容易に設置でき、ボックス同士をできるだけ隙間なく設置することが可能な施工方法を提供することである。
【課題を解決するための手段】
【０００９】
上記課題を解決するために、本発明に係るラックの一区画を施工する方法は、
収納物を複数の収納区画部に収納する複数のラックと、各ラック間に形成される走行通路と、走行通路を走行して搬送する搬送装置とを備え、
収納区画部に収納物を囲うボックスを備えるラックの一区画を施工する方法であって、
走行通路の幅より短く分割された複数の分割ボックスを搬送装置で搬送して、ラックにおける所定の収納区画部に設置し、各分割ボックスを連結することで、ボックスを収納区画部に形成する。
【００１０】
好ましくは、分割ボックスは、その内部で接続可能なように分割ボックスの内側に連結手段を設けた。
【００１１】
好ましくは、分割ボックスは、ラックに対してボルト連結され、そのための分割ボックスに設けたネジ孔が、調整可能なように長孔状に形成されている。
【００１２】
好ましくは、ボックスは、作業者が出入り可能な開閉蓋を備える。
【発明の効果】
【００１３】
本発明に係るラックの一区画を施工する方法は、各ラック間に形成された走行通路の幅より短く分割された複数の分割ボックスを搬送装置で搬送して、ラックにおける所定の収納区画部に設置し、各分割ボックスを連結して、ボックスを収納区画部に形成する。
【００１４】
これにより、作業者が、作業現場（ラック）で多数のプレート部材からボックスを組み立てる必要がなく、搬送装置で搬送した分割ボックスを連結するだけでよいので、施工が非常に簡単で危険性が少ない。また、作業スペースが少なくてよいので、ボックス同士をできるだけ隙間なく設置することができ、収納効率を向上させることができる。
【図面の簡単な説明】
【００１５】
【図１】ラックシステムを示す全体斜視図である。
【図２】収納区画部を示す斜視図である。
【図３】ラックシステムを示す平面図である。
【図４】ラックシステムを示す正面図である。
【図５】枠組み体を示す斜視図である。
【図６】ボックスを示す斜視図である。
【発明を実施するための形態】
【００１６】
以下、添付図面に基づいて、本発明に係るラックの一区画を施工する方法について説明する。
【００１７】
[ラックシステムの構成]
先ず、ラックシステムの構成について説明する。
図１の通り、ラックシステムは、二列のラック１，１が設置されている。ラック１は、上下方向及び水平方向に複数の収納区画部２を有する。収納区画部２は、バッテリー、キャパシタ又はコンデンサ等の収納物である蓄電装置６を収納して、この収納された蓄電装置６を充放電することができる。
【００１８】
ラックシステムは、各ラック１，１の間の床面及び天井に、ラック１に沿って走行経路３が設置されている。ラックシステムは、走行経路３に沿って進後退可能な搬送装置４を備える。本実施形態では、搬送装置４は、スライドフォーク式のスタッカクレーンからなる。なお、搬送装置４は、無人フォークリフト等にも適用できる。スタッカクレーン４は、走行台車４０とキャレッジ４１とを備える。走行台車４０は、走行経路３に沿って走行可能に構成される。キャレッジ４１は、走行台車４０に立設された一対のマスト４２に沿って上下方向に昇降可能に構成される。また、スタッカクレーン４は、走行台車４０及びキャレッジ４１を駆動するモータ４４及び制御する制御部４５を備える。
【００１９】
スタッカクレーン４は、１本のスライド式のフォーク４３を備える。フォーク４３は、キャレッジ４１に設置され、各ラック１，１に向けて水平に伸縮可能である。これにより、スタッカクレーン４は、フォーク４３を伸縮して、キャレッジ４１を昇降させることで、蓄電装置６をすくい上げて搬送し、収納区画部２に収納等できる。
【００２０】
図２の通り、収納区画部２は、蓄電装置６を載置したトレー２１を収納して囲うボックス２０を備える。蓄電装置６は、トレー２１に載置された状態で、スタッカクレーン４で搬送されて、ボックス２０内に収納されるようになっている。
【００２１】
ボックス２０内には、消火装置２２が設けられている。消火装置２２は、検知器２２１及び噴射ノズル２２２を備える。検知器２２１は、ボックス２０内に発生する煙等に基づいて蓄電装置６の火災を検知する。ラックシステムは、制御盤及び二酸化炭素ボンベ２２３を備え（図３等）、検知器２２１がボックス２０内の火災を検知した際に、噴射ノズル２２２から二酸化炭素ガス等をボックス２０内に噴射して消火を行うように制御される。
【００２２】
ボックス２０内には、通電装置２３が設けられる。通電装置２３は、ボックス側接続部２３０を備える。ボックス側接続部２３０は、エアシリンダー等の駆動部２３１によって前後進する。蓄電装置６は、トレー２１に載置されるときに、コネクタ等を介して電気的に接続される。駆動部２３１は、蓄電装置６を載置したトレー２１がボックス２０内に設置された際に、ボックス側接続部２３０を前進して接続し、蓄電装置６が外部電源（図示略）に接続されて充電されるようになっている。そして、充電完了後に、ボックス側接続部２３０を後退して接続を解除するように構成される。
【００２３】
ボックス２０は、収納区画部２に適応した矩形体形状からなる。ボックス２０は、トレー２１がボックス２０内に浸入可能なように、前面に前面開口部２００を備える。トレー２１は、前部にフランジ部２１３を備える。フランジ部２１３は、トレー２１をボックス２０内に収納した際に、ボックス２０の前面開口部２００を閉じるようになっている。
【００２４】
[ラックシステムの施工方法]
次に、ラックシステムの施工方法について説明する。
図３及び図４の通り、スタッカクレーン４は、キャレッジ４１にスライド式フォーク４３を備える。フォーク４３は、伸縮自在に構成されており、蓄電装置６を載置したトレー２１は、ボックス２０とキャレッジ４１との間を移動して、スタッカクレーン４で搬送されるようになっている。
【００２５】
各ラック１，１の間に、ラック１に沿う走行通路３０が形成されている。走行通路３０は、収納空間を効率よく利用するため、ラック１等をできるだけ設置可能なように、走行通路３０の幅Ｗは、できるだけ狭く設定される。そのため、走行通路３０の幅Ｗは、スタッカクレーン４が走行可能で、かつ蓄電装置６を載置したトレー２１がラック１等にぶつからないように設定される。
【００２６】
図５の通り、ラックシステムを施工する際に、先ず、所定位置に支柱１００及び横材１０１等を組み立てて枠組み体１０を施工する。枠組み体１０は、複数の収納区画部２を有する。枠組み体１０には、ボックス２０を設置するために、横材１０１同士に架け渡した受台１０２を設置する。さらに、枠組み体１０には、ボックス２０を設置する際にフォーク４３が浸入可能なように、フォーク用開口部１０３を形成する。
【００２７】
図６の通り、ボックス２０を前後に２つに分割された分割ボックス２０ａ，２０ｂを準備する。分割ボックス２０ａ，２０ｂは、その長さＬ１，Ｌ２が走行通路３０の幅Ｗより短く設定される。そして、図３及び図４の通り、分割ボックス２０ａ，２０ｂをスタッカクレーン４のフォーク４３に載置して、所定の収納区画部２に設置する。
【００２８】
分割ボックス２０ａ，２０ｂの長さＬ１，Ｌ２を走行通路３０の幅Ｗより短く設定することで、分割ボックス２０ａ，２０ｂがラック１にぶつかることなくスタッカクレーン４で前後方向及び上下方向に搬送することができる。なお、分割ボックス２０ａ，２０ｂは、３つ以上に分割していてもよい。
【００２９】
そして、先ず、後側の分割ボックス２０ｂをスタッカクレーン４で搬送して、フォーク４３をフォーク用開口部１０３に挿入しつつ受台１０２の奥側に設置するか、受台１０２の手前側に設置して作業者の手で奥側にずらす（図５）。続いて、前側の分割ボックス２０ａをスタッカクレーン４で搬送して、同様に、受台１０２の手前側に設置する。
【００３０】
受台１０２及び分割ボックス２０ａ，２０ｂは、それぞれをボルト連結するためのネジ孔２５ａ，２５ｂが形成されている。分割ボックス２０ａ，２０ｂ側のネジ孔２５ａは、長孔状もしくは大きなネジ逃げ孔に形成されており、枠組み体１０の設置誤差を調整して、位置精度良く各分割ボックス２０ａ，２０ｂを枠組み体１０に配置して固定できる。
【００３１】
図６の通り、分割ボックス２０ａ，２０ｂは、それぞれが対向する部分に、内側に突設する接合フランジ２４ａ，２４ｂを備える。接合フランジ２４ａ，２４ｂは、分割ボックス２０ａ，２０ｂ同士を連結するための連結手段２４を構成する。それぞれの接合フランジ２４ａ，２４ｂをボルト連結することで、分割ボックス２０ａ，２０ｂが連結され、ボックス２０が形成される。後側の分割ボックス２０ｂは、ボックス２０内に作業者が出入り可能なように、後部に開閉蓋２４０が形成される。
【００３２】
作業者は、開閉蓋２４０を開閉して、内部の接合フランジ２４ａ，２４ｂをボルト連結する作業を行う。接合フランジ２４ａ，２４ｂを内側に突設させることで、ボックス２０の外側での作業が非常に少なくて済むので、ボックス２０の外側での作業スペースを用意する必要がなく、それにより、ボックス２０同士を隙間なく配置できるので、できるだけ多くのボックス２０を設置することが可能となり収納効率が向上する。なお、連結手段２４は、接合フランジ２４ａ，２４ｂによるボルト連結に限らず差込コネクタ等で連結してもよい。また、開閉蓋２４０は、作業者がボックス２０内をメンテナンスするときにも使用できる。
【００３３】
これにより、作業者が、作業現場（各収納区画部２）でプレート部材からボックス２０を組み立てる必要がなく、搬送装置４で搬送した分割ボックス２０ａ，２０ｂを連結するだけでよいので、施工が非常に簡単で高所作業による危険性が少ない。また、作業スペースが少なくてよいので、ボックス２０同士をできるだけ隙間なく設置することができ、収納効率を向上させることができる。
【００３４】
なお、上記実施形態では、蓄電装置を充放電する充放電ラックシステムに関する施工方法を説明したが、本発明に係る施工方法は、これに限らず、例えば、蓄電装置をラックに収納して所定期間だけ放置し、放置している間に蓄電装置に発火等の異常が生じないか検査するエージング設備におけるラックシステムにも適用できる。
【符号の説明】
【００３５】
１  ラック
１０  枠組み体
２  区画収納部
２０  ボックス
２０ａ，２０ｂ  分割ボックス
２１  トレー
２２  消火装置
２３  通電装置
３０  走行通路
Ｗ  走行通路の幅
Ｌ１，Ｌ２  分割ボックスの長さ
４  スタッカクレーン
４３  フォーク
６  蓄電装置
【図１】
2010184745.tif 000003
【図２】
2010184745.tif 000004
【図３】
2010184745.tif 000005
【図４】
2010184745.tif 000006
【図５】
2010184745.tif 000007
【図６】
2010184745.tif 000008